(57)【要約】【課題】作業スペースの少ない電子機器でのフラットケーブルの組み立てが容易で、かつ、組立の機械化が可能であり、また、フラットケーブルの電極パターンと該当するコンタクトの接点とを正しく接続できるものを提供すること。【解決手段】スライダ１５の進退動によりフラットケーブル１１をハウジング１４のコンタクト１７に接離するようにしたフラットケーブル用コネクタにおいて、コンタクト１７は、Ｓ字形に折曲し、途中に低い水平部４５、上昇する傾斜部４６、高い水平部４７と続く段差を折曲形成し、このＳ字形のばね部４４から前方へ伸びた先端部に、下向きＶ字形の接点２１を形成し、スライダ１５と一体のくさび板部２０に、フラットケーブル１１の係止孔４９を係止するケーブル係止突起２９を形成したものである。【選択図】図１
2007123018.tif 000002
【特許請求の範囲】
【請求項１】
ハウジングと、このハウジングに取り付けられる複数のコンタクトと、前記ハウジングに取り付けられた操作レバーと、この操作レバーの操作により前記ハウジングに進退するスライダとを具備し、前記スライダの進退動によりフラットケーブルを前記コンタクトに接離するようにしたフラットケーブル用コネクタにおいて、前記スライダと一体のくさび板部に、前記フラットケーブルの係止孔を係止するケーブル係止突起を形成したことを特徴とするフラットケーブル用コネクタ。
【請求項２】
ケーブル係止突起は、くさび板部の上面両端部にそれぞれ形成し、このケーブル係止突起の下面とくさび板部の上面との間に外れ防止の係止凹部を形成したことを特徴とする請求項１記載のフラットケーブル用コネクタ。
【請求項３】
ハウジングと、このハウジングに取り付けられる複数のコンタクトと、前記ハウジングに取り付けられた操作レバーと、この操作レバーの操作により前記ハウジングに進退するスライダとを具備し、前記スライダの進退動によりフラットケーブルを前記コンタクトに接離するようにしたフラットケーブル用コネクタにおいて、前記ハウジングは、底板部と、天板部と、後板部と、両側の側板部とで前面を開口した箱状をなし、前記底板部と天板部との間に前面の開口から後板部までケーブル差込みスペースを形成し、このケーブル差込みスペースに臨ませて前記コンタクトを取り付けるための多数のコンタクト差し込み溝を形成し、前記コンタクトは、導電性と弾力性を有する金属の細板を第１ばね部と第２ばね部とでＳ字形に折曲し、このＳ字形の底部が底板部のコンタクト差し込み溝に圧入固定され、このＳ字形の中間部であって、前記第１ばね部と第２ばね部との間に、低い水平部、上昇する傾斜部、高い水平部と続く段差を折曲形成し、このＳ字形の上部であって、第２ばね部から前方へ伸びた先端部に、下向きＶ字形の接点を形成し、この接点のある上部と高い水平部の間の隙間を前記くさび板部の圧入される挿入口となし、前記スライダは、肉薄で、先端に丸みをもたせたくさび板部と、両側の側板部とを一体に設け、このくさび板部の上面の両端部に、フラットケーブルの係止孔を係合するための上面に丸みをもたせたケーブル係止突起を設け、このケーブル係止突起の下面とくさび板部の上面との間に係止凹部を形成したことを特徴とするフラットケーブル用コネクタ。
【請求項４】
ハウジングと、このハウジングに取り付けられる複数のコンタクトと、前記ハウジングに取り付けられた操作レバーと、この操作レバーの操作により前記ハウジングに進退するスライダとを具備し、前記スライダの進退動によりフラットケーブルを前記コンタクトに接離するようにしたフラットケーブル用コネクタにおいて、前記ハウジングは、底板部と、天板部と、後板部と、両側の側板部とで前面を開口した箱状をなし、前記底板部と天板部との間に前面の開口から後板部までケーブル差込みスペースを形成し、このケーブル差込みスペースに臨ませ、かつ、天板部の下面に前記コンタクトを取り付けるための多数のコンタクト差し込み溝を形成し、前記コンタクトは、導電性と弾力性を有する金属の細板からなり、前方へ伸びた先端部に下向きＶ字形の接点を形成し、このコンタクトに対峙する底板部の上面に、低い水平部、上昇する傾斜部、高い水平部と続くように段差を形成し、このコンタクトの接点と底板部の上面の高い水平部の間にて前記くさび板部の圧入される挿入口を構成し、前記スライダは、肉薄で、先端に丸みをもたせたくさび板部と、両側の側板部とを一体に設け、このくさび板部の上面の両端部に、フラットケーブルの係止孔を係合するための上面に丸みをもたせたケーブル係止突起を設け、このケーブル係止突起の下面とくさび板部の上面との間に係止凹部を形成したことを特徴とするフラットケーブル用コネクタ。
【請求項５】
フラットケーブルの係止孔は、少なくともスライダの係止突起と接する側面が銅箔で形成されているフラットケーブルと組み合わされることを特徴とする請求項１又は２記載のフラットケーブル用コネクタ。
【発明の詳細な説明】
【技術分野】
【０００１】
本発明は、ＦＦＣ（フレキシブル・フラット・ケーブル）やＦＰＣ（フレキシブル・プリント基板）などのフレキシブルでフラットなケーブル（以下、フラットケーブルという）をプリント基板などに接続するためのフラットケーブル用コネクタに関するものである。
【背景技術】
【０００２】
従来から図７（ａ）（ｂ）（ｃ）に示すように、フラットケーブル１１をプリント基板１０などに電気的に接続するためのフラットケーブル用コネクタ９が知られている（特許文献１）。
このフラットケーブル用コネクタ９は、ハウジング１４のコンタクト差し込み溝１８にコンタクト１７を圧入固着し、操作レバー１６の開閉動作により進退するスライダ１５を、前記コンタクト１７の挿入口２２側に設けてなるものである。このフラットケーブル用コネクタは、ハウジング１４の下面の位置合せ突起（図示せず）をプリント基板１０の位置合せ孔（図示せず）に嵌合しつつ、プリント基板１０の上のパターン電極に前記コンタクト１７の後端の端子部４８を半田などで電気的にかつ機械的に接続される。
【０００３】
このように構成されたフラットケーブル用コネクタ９にフラットケーブル１１を接続するには、図７（ａ）のように操作レバー１６を開いて（立ち上がらせて）スライダ１５を前方（図中左側）に突出させることにより、スライダ１５のくさび板部２０をコンタクト１７の挿入口２２から抜き出し、この状態でフラットケーブル１１の先端部の電極パターン１３を下向きにしてスライダ１５のフラットケーブル差込口１９からコンタクト１７の挿入口２２へ差し込む。フラットケーブル１１の先端部が挿入口２２の奥まで差し込まれたら、操作レバー１６を図７（ａ）の矢印方向に閉じる（押し倒す）。すると、この操作レバー１６の押し倒す動作に連動してスライダ１５がハウジング１４側に移動する。このスライダ１５の移動に伴い、スライダ１５のくさび板部２０がフラットケーブル１１を接点２１側へ押し付けつつコンタクト１７の挿入口２２に圧入して、図７（ｂ）に示すように、フラットケーブル１１の電極パターン１３がコンタクト１７の接点２１に電気的に接続される。
【０００４】
フラットケーブル１１は、可撓性を有するので、フラットケーブル１１をコンタクト１７からの過度な接触圧を受けずに低挿入力で挿入することが望ましい。この図７に示したフラットケーブル用コネクタ９では、先にフラットケーブル１１を挿入した後、スライダ１５のくさび板部２０で所定の接触圧でコンタクト１７に接触するので、低挿入力で電気的接続が可能となるＺＩＦ（ゼロ・インサーション・フォース）構造が採用されている。
【特許文献１】特開２００２―１７５８４８号公報
【発明の開示】
【発明が解決しようとする課題】
【０００５】
図７に示した従来のフラットケーブル用コネクタは、以下に示すような若干の問題があった。
（１）図７（ａ）のように、まず、スライダ１５をハウジング１４から引き出したままにし、フラットケーブル１１の先端部をスライダ１５の下側のフラットケーブル差込口１９からコンタクト１７の挿入口２２に水平方向に挿入する。水平方向に挿入するためには、フラットケーブル用コネクタの図中左側に、少なくともスライダ１５の図中左端からコンタクト１７の挿入口２２の奥までの距離ｍに相当する分だけの作業スペースを必要とするので、特に作業スペースの少ない小型の電子機器の接続組み立てが困難である。
（２）フラットケーブル１１の挿入が手作業になり、機械化ができない。
（３）フラットケーブル１１は、スライダ１５の下側のフラットケーブル差込口１９から電極パターンを下向きにしてコンタクト１７の挿入口２２に挿入するので、正しい位置まで挿入されているかどうか、途中で引っかかっているかどうかなどの確認ができない。
（４）予めフラットケーブル１１を挿入してからスライダ１５のくさび板部２０を圧入するので、可撓性を有するフラットケーブル１１がめくれたり、しわがよったりするおそれがあり、また、幅広のフラットケーブル１１がくさび板部２０の下面に均一な接触圧で接していないと捩れが生じ、電極パターン１３と該当する接点２１とが正しく接続することができず、特に、電極パターン１３の間隔の狭いものでは、誤接続のおそれがある。
（５）スライダ１５の進退動時に、くさび板部２０がフラットケーブル１１の上を摺動して電極パターン１３が不必要に接点２１に圧接され、可撓性を有するフラットケーブル１１に対するＺＩＦの効果が軽減される。
【０００６】
本発明は、作業スペースの少ない電子機器でのフラットケーブルの組み立てが容易で、かつ、機械化が可能であり、また、フラットケーブルの電極パターンと該当するコンタクトの接点とが正しく接続でき、さらに、可撓性を有するフラットケーブルに対するＺＩＦの十分な効果が得られるものを提供することを目的とするものである。
【課題を解決するための手段】
【０００７】
本発明は、ハウジング１４と、このハウジング１４に取り付けられる複数のコンタクト１７と、前記ハウジング１４に取り付けられた操作レバー１６と、この操作レバー１６の操作により前記ハウジング１４に進退するスライダ１５とを具備し、前記スライダ１５の進退動によりフラットケーブル１１を前記コンタクト１７に接離するようにしたフラットケーブル用コネクタにおいて、前記スライダ１５と一体のくさび板部２０に、前記フラットケーブル１１の係止孔４９を係止するケーブル係止突起２９を形成したことを特徴とするフラットケーブル用コネクタである。
【０００８】
さらに詳しくは、前記ハウジング１４は、底板部２４と、天板部２５と、後板部２６と、両側の側板部５３とで前面を開口した箱状をなし、前記底板部２４と天板部２５との間に前面の開口から後板部２６までケーブル差込みスペース２７を形成し、このケーブル差込みスペース２７に臨ませて前記コンタクト１７を取り付けるための多数のコンタクト差し込み溝１８を形成する。
前記コンタクト１７は、導電性と弾力性を有する金属の細板を第１ばね部４３と第２ばね部４４とでＳ字形に折曲し、このＳ字形の底部が底板部２４のコンタクト差し込み溝１８に圧入固定され、このＳ字形の中間部であって、前記第１ばね部４３と第２ばね部４４との間に、低い水平部４５、上昇する傾斜部４６、高い水平部４７と続く段差を折曲形成し、このＳ字形の上部であって、第２ばね部４４から前方へ伸びた先端部に、下向きＶ字形の接点２１を形成し、この接点２１のある上部と高い水平部４７の間の隙間を前記くさび板部２０の圧入される挿入口２２となす。
前記スライダ１５は、肉薄で、先端に丸みをもたせたくさび板部２０と、両側の側板部３１とを一体に設け、このくさび板部２０の上面の両端部に、フラットケーブル１１の係止孔４９を係合するための上面に丸みをもたせたケーブル係止突起２９を設け、このケーブル係止突起２９の下面とくさび板部２０の上面との間に係止凹部３０を形成する。
【発明の効果】
【０００９】
請求項１記載の発明によれば、フラットケーブル用コネクタにおけるスライダと一体のくさび板部に、フラットケーブルの係止孔を係止するケーブル係止突起を形成したので、フラットケーブルを水平の挿入ではなく、スライダの上方からケーブル係止突起に嵌め込み固定でき、水平方向に挿入するのに比較して作業スペースの極めて少ない小型の電子機器の組み立てが可能となるとともに、フラットケーブルの挿入の機械化が可能となる。さらに、フラットケーブルの係止孔をケーブル係止突起に係止するので、コンタクトの挿入口に正しく挿入され、電極パターンと該当する接点とを正しく接続することができる。
このように、本発明によれば、作業スペースの少ない電子機器でのフラットケーブルの組み立てが容易で、かつ、機械化が可能であり、また、フラットケーブルの電極パターンと該当するコンタクトの接点とが正しく接続でき、さらに、可撓性を有するフラットケーブルに対するＺＩＦの十分な効果が得られるという目的を達成することができる。
【００１０】
請求項２記載の発明によれば、ケーブル係止突起は、くさび板部の上面両端部にそれぞれ形成し、このケーブル係止突起の下面とくさび板部の上面との間に外れ防止の係止凹部を形成したので、フラットケーブルは、くさび板部にしっかりと固定され、例えば、フラットケーブルの電極パターンの間隔が０．５ｍｍ又はそれ以下の極細のものであっても該当するコンタクトの接点と正しく位置合せができ、確実な接続ができる。
【００１１】
請求項３記載の発明によれば、フラットケーブル用コネクタにおいて、ハウジングは、底板部と、天板部と、後板部と、両側の側板部とで前面を開口した箱状をなし、底板部と天板部との間に前面の開口から後板部までケーブル差込みスペースを形成し、このケーブル差込みスペースに臨ませて前記コンタクトを取り付けるための多数のコンタクト差し込み溝を形成し、コンタクトは、導電性と弾力性を有する金属の細板を第１ばね部と第２ばね部とでＳ字形に折曲し、このＳ字形の底部が底板部のコンタクト差し込み溝に圧入固定され、このＳ字形の中間部であって、第１ばね部と第２ばね部との間に、低い水平部、上昇する傾斜部、高い水平部と続く段差を折曲形成し、このＳ字形の上部であって、第２ばね部から前方へ伸びた先端部に、下向きＶ字形の接点を形成し、この接点のある上部と高い水平部の間の隙間をくさび板部の圧入される挿入口となし、スライダは、肉薄で、先端に丸みをもたせたくさび板部と、両側の側板部とを一体に設け、このくさび板部の上面の両端部に、フラットケーブルの係止孔を係合するための上面に丸みをもたせたケーブル係止突起を設け、このケーブル係止突起の下面とくさび板部の上面との間に係止凹部を形成したので、スライダのくさび板部とともに挿入されるフラットケーブルは、低い水平部の位置では、くさび板部の下面がコンタクトの水平部の上にあり、フラットケーブルの先端部と接点との間に隙間があってまだ接続状態にはなく、上昇する傾斜部の位置では、くさび板部の下面がコンタクトの傾斜部に差し掛かり、フラットケーブルの先端部が接点の位置から僅かな距離ｅだけ通り過ぎ、フラットケーブルの電極パターンが接点に軽く接触して接続状態を開始し、高い水平部の位置では、くさび板部の下面がコンタクトの傾斜部から高い水平部に載り上がり、くさび板部の先端がコンタクトの挿入口に圧入してフラットケーブルの先端部が接点の位置から距離ｆだけ通り過ぎ、フラットケーブルの電極パターンが接点に確実に接触して接続状態を保持する。したがって、スライダの進退動時に、くさび板部がフラットケーブルの上を摺動して電極パターンが不必要に接点に圧接されることなく確実に接続され、可撓性を有するフラットケーブルに対するＺＩＦの著しい効果が得られる。また、くさび板部の上面の両端部のケーブル係止突起は丸みをもたせたので、フラットケーブルをスムーズに係脱でき、組立や接続の自動化がよりし易くなる。
【００１２】
請求項４記載の発明によれば、前記コンタクトは、導電性と弾力性を有する金属の細板からなり、前方へ伸びた先端部に下向きＶ字形の接点を形成し、このコンタクトに対峙する底板部の上面に、低い水平部、上昇する傾斜部、高い水平部と続くように段差を形成し、このコンタクトの接点と底板部の上面の高い水平部の間にて前記くさび板部の圧入される挿入口を構成し、前記スライダは、肉薄で、先端に丸みをもたせたくさび板部と、両側の側板部とを一体に設け、このくさび板部の上面の両端部に、フラットケーブルの係止孔を係合するための上面に丸みをもたせたケーブル係止突起を設け、このケーブル係止突起の下面とくさび板部の上面との間に係止凹部を形成したので、低い水平部、上昇する傾斜部、高い水平部と続くように段差を底板部の上面に形成することで、コンタクトの形状を第１ばね部と第２ばね部とでＳ字形に折曲したり、第１ばね部と第２ばね部との間に、低い水平部、上昇する傾斜部、高い水平部と続く段差を折曲形成したりする必要がないとともに、ハウジングにおける底板部に多数のコンタクト差し込み溝を形成する必要がなく、構造を単純化でき、かつ、寸法誤差も少なくなり、品質のすぐれたものを安価に提供することができる。
【００１３】
請求項５記載の発明によれば、フラットケーブルの係止孔は、電極パターンと同じ銅箔で、エッチングにより加工されており、コンタクトとフラットケーブルの電極の位置ずれが少なくでき、狭いピッチに対応可能となる。
【発明を実施するための最良の形態】
【００１４】
本発明は、ハウジング１４と、このハウジング１４に取り付けられる複数のコンタクト１７と、前記ハウジング１４に取り付けられた操作レバー１６と、この操作レバー１６の操作により前記ハウジング１４に進退するスライダ１５とを具備し、前記スライダ１５の進退動によりフラットケーブル１１を前記コンタクト１７に接離するようにしたフラットケーブル用コネクタに適用される。
前記スライダ１５には、一体のくさび板部２０に、前記フラットケーブル１１の係止孔４９を係止するケーブル係止突起２９を形成したことを特徴とする。
【００１５】
本発明によるフラットケーブル用コネクタにおいて、前記ハウジング１４は、底板部２４と、天板部２５と、後板部２６と、両側の側板部５３とで前面を開口した箱状をなし、前記底板部２４と天板部２５との間に前面の開口から後板部２６までケーブル差込みスペース２７を形成し、このケーブル差込みスペース２７に臨ませて前記コンタクト１７を取り付けるための多数のコンタクト差し込み溝１８を形成する。
前記コンタクト１７は、導電性と弾力性を有する金属の細板を第１ばね部４３と第２ばね部４４とでＳ字形に折曲し、このＳ字形の底部が底板部２４のコンタクト差し込み溝１８に圧入固定され、このＳ字形の中間部であって、前記第１ばね部４３と第２ばね部４４との間に、低い水平部４５、上昇する傾斜部４６、高い水平部４７と続く段差を折曲形成し、このＳ字形の上部であって、第２ばね部４４から前方へ伸びた先端部に、下向きＶ字形の接点２１を形成し、この接点２１のある上部と高い水平部４７の間の隙間を前記くさび板部２０の圧入される挿入口２２となす。
前記スライダ１５は、肉薄で、先端に丸みをもたせたくさび板部２０と、両側の側板部３１とを一体に設け、このくさび板部２０の上面の両端部に、フラットケーブル１１の係止孔４９を係合するための上面に丸みをもたせたケーブル係止突起２９を設け、このケーブル係止突起２９の下面とくさび板部２０の上面との間に係止凹部３０を形成する。
【実施例１】
【００１６】
本発明によるフラットケーブル用コネクタの実施例１を図１、２、３、４、５に基き説明する。
図２において、本発明のフラットケーブル用コネクタは、ハウジング１４と、このハウジング１４の左右両端に嵌め込まれる２個のレバー支持具２３と、ハウジング１４に進退するスライダ１５と、このスライダ１５を進退させる操作レバー１６と、ハウジング１４に挿入固着される多数個のコンタクト１７とからなる。これらの各部品を組立てて操作レバー１６を閉じた状態を示す図４において、具体的な寸法は、凡そ横２３．６ｍｍ×縦３．４ｍｍ×奥行き６．６ｍｍである。しかし、この寸法に限定されるものではない。
【００１７】
前記ハウジング１４は、プラスチックなどの絶縁材料を用い、底板部２４と、天板部２５と、後板部２６と、側板部５３とで薄くて細長の前面に開口を有する箱状をなし、底板部２４と天板部２５との間に前面の開口から後板部２６までケーブル差込みスペース２７が形成されている。また、前記底板部２４の上面、天板部２５の下面及び後板部２６を貫通して、後方から多数のコンタクト１７を差し込むためのコンタクト差し込み溝１８が形成されている。前記側板部５３の下面には、図３に示すように前記レバー支持具２３の内側板部３６が圧入固定される支持具差込み溝２８が設けられ、この支持具差込み溝２８の一部が側面に開口している。
なお、ハウジング１４の下面には、プリント基板１０の位置合せ孔に嵌合する図示しない２個の位置合せ突起が設けられている
【００１８】
前記レバー支持具２３は、金属板を外側板部３５、底板部３７、内側板部３６でＵ字形に折曲したもので、外側板部３５には係止長孔３８が形成され、また、内側板部３６には回動支持孔３９が形成され、図３に示すように内側板部３６をハウジング１４の支持具差込み溝２８に挿入することで内側板部３６に形成した回動支持孔３９が側板部５３の側面に露出する。また、レバー支持具２３の外側板部３５とハウジング１４の側板部５３との間には、後述するスライダ１５の側板部３１が嵌め込まれる隙間が形成される。
【００１９】
前記コンタクト１７は、導電性と弾力性を有する金属の細板を第１ばね部４３と第２ばね部４４とでＳ字形に折曲したもので、底部の幅の広い部分がハウジング１４における底板部２４のコンタクト差し込み溝１８に圧入固定され、端部の端子部４８が後端部から突出してプリント基板１０に接続される。前記第１ばね部４３と第２ばね部４４との間の中間部には、低い水平部４５、上昇する傾斜部４６、高い水平部４７と続く段部が折曲形成される。第２ばね部４４から前方へ屈曲した上部の先端部には、下向きＶ字形に折曲されて接点２１となっている。この接点２１のある上部と中間部の高い水平部４７の間の隙間が前記くさび板部２０の圧入される挿入口２２を構成している。
【００２０】
前記スライダ１５は、プラスチックなどの絶縁材料を用い、肉薄で、先端に丸みをもたせたくさび板部２０と、両側の側板部３１とを一体に設けたもので、このくさび板部２０と側板部３１との間には、前記ハウジング１４の側板部５３に跨って進退するための逃げ溝５４が後面から形成されている。また、くさび板部２０の上面の両端部には、フラットケーブル１１の係止孔４９を係合するための上面に丸みをもたせたケーブル係止突起２９が設けられ、このケーブル係止突起２９の下面とくさび板部２０の上面との間に外れ防止の係止凹部３０が形成されている。前記側板部３１の内側面には、上部と内側部を開口した凹部３４が形成され、この凹部３４の両側部は、傾斜した引き戻し当接部３２と送り出し当接部３３となっている。
前記側板部３１の側面には、前記レバー支持具２３の係止長孔３８が係脱するストッパ５１とクリック用突起５２が設けられている。このうち、ストッパ５１は、一方が傾斜面で他方が垂直面をなし、また、クリック用突起５２は、両方が傾斜面をなしている。
【００２１】
前記操作レバー１６は、金属板を折曲形成したもので、細長で水平な操作部５５と、両端部から直角に折曲したそれぞれ２個の舌片５６、舌片５７とからなり、一方の舌片５６の下端部を内側へ折曲して回動支点部４０とするとともに側面を送り出しカム部４２となし、また、他方の舌片５７の側面を曲面の引き戻しカム部４１としている。
【００２２】
前記フラットケーブル１１は、フレキシブル絶縁シート１２の上に所定（例えば０．５ｍｍ）間隔で電極パターン１３を形成し、この電極パターン１３の先端の一部を露出し、他は絶縁されている。また、電極パターン１３の露出した個所の両端部に位置して前記スライダ１５のケーブル係止突起２９に係合する係止孔４９が形成されている。この係止孔４９の外周は、電極パターン１３と同じ銅箔でエッチング加工により形成され、前記スライダ１５のケーブル係止突起２９の側壁とは、隙間が生じないように大きさが決められている。
【００２３】
以上のような各部品の組立について説明する。
ハウジング１４の全てのコンタクト差し込み溝１８にコンタクト１７をその挿入口２２がケーブル差込みスペース２７を向くようにして嵌め込み固定する。
図３に示すように、ハウジング１４の両側の側板部５３における下面の支持具差込み溝２８に、それぞれレバー支持具２３の内側板部３６を下方から圧入固定する。
このレバー支持具２３の外側板部３５とハウジング１４の側板部５３の外側との隙間に、スライダ１５を嵌め込む。すると、スライダ１５のくさび板部２０は、ハウジング１４の底板部２４の上に載り、くさび板部２０の先端がハウジング１４のケーブル差込みスペース２７に臨ませられるとともに、スライダ１５の側板部３１がレバー支持具２３の外側板部３５とハウジング１４の側板部５３の外側との隙間に挿入される。このとき、図５に示すように、側板部３１のストッパ５１が外側板部３５の左端を乗り越えて係止長孔３８に係止される。
操作レバー１６の両端の舌片５６と舌片５７を図１（ａ―２）に示すようにスライダ１５の凹部３４にそれぞれ挿入する。このとき、舌片５６の下端部の回動支点部４０を弾性に抗してやや外側に広げながら外側の支持具差込み溝２８に沿って圧入すると、回動支点部４０が内側板部３６の回動支持孔３９に一致したところで嵌合する。操作レバー１６が直立している状態では舌片５６の送り出しカム部４２がスライダ１５における凹部３４の送り出し当接部３３に当接しているため、スライダ１５は、引き出された状態にある。
【００２４】
以上のような構成によるフラットケーブル用コネクタの動作を説明する。
図１（ａ―１）及び（ａ−２）に示すように、操作レバー１６が直立してスライダ１５がハウジング１４から引き出された状態では、くさび板部２０の上面のケーブル係止突起２９がハウジング１４のケーブル差込みスペース２７より外側に位置しているので、この左右のケーブル係止突起２９にフラットケーブル１１を上から被せるようにして係止孔４９を嵌め込んでやや引くことにより、係止孔４９をケーブル係止突起２９の係止凹部３０に係止させる。
この図１（ａ―１）の状態では、くさび板部２０の下面がコンタクト１７の水平部４５の上にあり、フラットケーブル１１の先端部と接点２１との間に隙間ｄがあってまだ接続状態にはない。
【００２５】
この状態から図１（ｂ）に示すように、操作レバー１６の操作部５５を図中右方向に倒すと、操作レバー１６の回動支点部４０と回動支持孔３９の係合点を支点として回動し、舌片５７の引き戻しカム部４１が引き戻し当接部３２に当接してスライダ１５を図中右方向に移動させ、くさび板部２０をケーブル差込みスペース２７へ導き入れる。
この図１（ｂ）の状態では、くさび板部２０の下面がコンタクト１７の傾斜部４６に差し掛かり、フラットケーブル１１の先端部が接点２１の位置から僅かな距離ｅだけ通り過ぎ、フラットケーブル１１の電極パターン１３が接点２１に軽く接触して接続状態を開始する。
スライダ１５の移動にともない、レバー支持具２３の図中左側の立ち上がり部がクリック用突起５２の傾斜面に乗り上がるのでクリック感が得られる。
【００２６】
図１（ｃ―１）及び（ｃ−２）のように、さらに操作レバー１６を略水平状態になるまで前方へ押し倒すと、引き戻しカム部４１と引き戻し当接部３２が接触しながらスライダ１５が距離ｇだけ移動してハウジング１４の前面に到達する。
この図１（ｃ―１）の状態では、くさび板部２０の下面がコンタクト１７の傾斜部４６から高い水平部４７に載り上がり、くさび板部２０の先端がコンタクト１７の挿入口２２に圧入してフラットケーブル１１の先端部が接点２１の位置から距離ｆだけ通り過ぎ、フラットケーブル１１の電極パターン１３が接点２１に確実に接触して接続状態を保持する。
スライダ１５の移動にともない、レバー支持具２３の図中左側の立ち上がり部がクリック用突起５２の傾斜面を乗り越えるのでクリック感が得られるとともに、スライダ１５の位置を保持する。
【００２７】
フラットケーブル１１をフラットケーブル用コネクタから取り出すときには、上記方法と逆に操作レバー１６を図１（ｃ―１）及び（ｃ−２）の状態から（ｂ）、（ａ−１）（ａ−２）のように持ち上げると、操作レバー１６の舌片５６における送り出しカム部４２が送り出し当接部３３に当接して１５を図中左方向に引き出す。スライダ１５が完全に引き出されたらフラットケーブル１１を上方向に持ち上げると、フラットケーブル１１は、フラットケーブル用コネクタから取り出すことができる。
フラットケーブル１１を組み付けないコネクタ単品状態では、スライダ１５とコンタクト１７は接触させてあり、コンタクト１７の接点２１に酸化膜の付着及び異物付着を防止している。
【実施例２】
【００２８】
前記実施例１では、コンタクト１７は、導電性と弾力性を有する金属の細板を第１ばね部４３と第２ばね部４４とでＳ字形に折曲し、底部が底板部２４のコンタクト差し込み溝１８に圧入固定され、前記第１ばね部４３と第２ばね部４４との間には、低い水平部４５、上昇する傾斜部４６、高い水平部４７と続くように折曲され、第２ばね部４４から前方へ伸びた先端部には、下向きＶ字形の接点２１が形成され、この接点２１のある上部と水平部４７の間の隙間で前記くさび板部２０の圧入される挿入口２２を構成した。このため、スライダ１５のくさび板部２０が挿入口２２に圧入されると、第１ばね部４３は狭まるように、また、第２ばね部４４は開くように湾曲する。したがって、スライダ１５のくさび板部２０は、直進して挿入口２２の間にスムーズに挿入される。
【００２９】
しかし、本発明は、これに限られるものではなく、コンタクト１７は、導電性と弾力性を有する金属の細板にて第２ばね部４４と接点２１だけを有する上部と、この上部から端子部４８に直接連続する構成とし、また、このコンタクト１７に対峙する底板部２４の上面に、低い水平部４５、上昇する傾斜部４６、高い水平部４７と続く段差を成型時に形成し、コンタクト１７の接点２１と底板部２４の高い水平部４７の間に前記くさび板部２０の圧入される挿入口２２を構成するようにしてもよい。この場合、スライダ１５のくさび板部２０が挿入口２２に圧入されると、コンタクト１７のみが第２ばね部４４にて上昇するように湾曲し、水平部４７は固定したままとなる。このとき、くさび板部２０の先端部が挿入口２２の間にスムーズに挿入されるには、傾斜部４６から高い水平部４７に沿って上向きに湾曲する必要があるので、スライダ１５のくさび板部２０は、弾力性を有する構造又は材料とすることが必要である。
【００３０】
前記実施例１では、図２に示すように、フラットケーブル１１の係止孔４９の全外周の内側縁まで電極パターン１３と同じ銅箔５０を形成した。しかし、これに限られるものではなく、図６に示すように、係止孔４９の全外周に銅箔５０を形成するが、前記係止孔４９の側面６０は、内側縁まで銅箔とし、前後面６１は、内側縁の一部をフレキシブル絶縁シート１２の露出部分とし、この露出部分がスライダ１５のケーブル係止突起２９と接することでもよい。
【図面の簡単な説明】
【００３１】
【図１】本発明によるフラットケーブル用コネクタによりフラットケーブル１１をコンタクト１７に接離する動作順序を示すもので、（ａ−１）は、操作レバー１６を立ち上げてスライダ１５を引き出した状態の図５におけるＡ―Ａ線断面図、（ａ−２）は、操作レバー１６を立ち上げてスライダ１５を引き出した状態の図５におけるＢ―Ｂ線断面図、（ｂ）は、図５において操作レバー１６を途中まで倒してスライダ１５を途中まで移動させた状態の図５におけるＡ―Ａ線断面図、（ｃ−１）は、操作レバー１６を倒してスライダ１５を引き戻した状態の図４におけるＤ―Ｄ線断面図、（ｃ−２）は、操作レバー１６を倒してスライダ１５を引き戻した状態の図４におけるＥ―Ｅ線断面図である。
【図２】本発明によるフラットケーブル用コネクタの実施例１を示す一部切り欠いた分解斜視図である。
【図３】図５における操作レバー１６を立ち上げてスライダ１５を引き出した状態の図５におけるＣ―Ｃ線断面図である。
【図４】本発明の各部品を組立てたフラットケーブル用コネクタにおいて、操作レバー１６を倒してスライダ１５を引き戻した状態の全体の斜視図である。
【図５】本発明の各部品を組立てたフラットケーブル用コネクタにおいて、操作レバー１６を立ち上げてスライダ１５を引き出した状態の全体の斜視図である。
【図６】フラットケーブル１１の他の実施例を示す斜視図である。
【図７】従来のフラットケーブル用コネクタを示すもので、（ａ）は、スライダ１５を引き出した状態の断面図、（ｂ）は、スライダ１５を引き戻した状態の断面図、（ｃ）は、フラットケーブル１１の平面図である。
【符号の説明】
【００３２】
１０…プリント基板、１１…フラットケーブル、１２…フレキシブル絶縁シート、１３…電極パターン、１４…ハウジング、１５…スライダ、１６…操作レバー、１７…コンタクト、１８…コンタクト差し込み溝、１９…フラットケーブル差込口、２０…くさび板部、２１…接点、２２…挿入口、２３…レバー支持具、２４…底板部、２５…天板部、２６…後板部、２７…ケーブル差込みスペース、２８…支持具差込み溝、２９…ケーブル係止突起、３０…係止凹部、３１…側板部、３２…引き戻し当接部、３３…送り出し当接部、３４…凹部、３５…外側板部、３６…内側板部、３７…底板部、３８…係止長孔、３９…回動支持孔、４０…回動支点部、４１…引き戻しカム部、４２…送り出しカム部、４３…第１ばね部、４４…第２ばね部、４５…低い水平部、４６…傾斜部、４７…高い水平部、４８…端子部、４９…係止孔、５０…補強箔、５１…ストッパ、５２…クリック用突起、５３…側板部、５４…逃げ溝、５５…操作部、５６…舌片、５７…舌片、６０…側面、６１…前後面。
【図１】
2007123018.tif 000003
【図２】
2007123018.tif 000004
【図３】
2007123018.tif 000005
【図４】
2007123018.tif 000006
【図５】
2007123018.tif 000007
【図６】
2007123018.tif 000008
【図７】
2007123018.tif 000009